(57)【特許請求の範囲】
【請求項１】
ベースと、このベースに固定された非回転部及びこの非回転部に対して回転する回転部を備えたスピンドルモータと、前記回転部に連結され前記スピンドルモータにより回転駆動される磁気ディスクと、この磁気ディスクの記録再生を行う磁気ヘッドと、前記磁気ディスクの回転軸が延びる方向から見て少なくともその一部が前記磁気ディスクの外側に配置され記録再生を行わない待機時に前記磁気ヘッドを前記磁気ディスク上から退避させておくパーク機構であるランプと、前記磁気ヘッドを前記ランプから前記磁気ディスク上へ移動するキャリッジと、前記ベースと前記磁気ディスクとの間に配置され前記ランプを前記非回転部に対して固定するフレームと、を有することを特徴とする磁気ディスク装置。
【請求項２】
前記非回転部は、前記フレームを固定するフレーム台座を有し、このフレーム台座はフレームの水平面の位置及び方向を規定するための突き当て又は位置決めピンを有することを特徴とする請求項１に記載の磁気ディスク装置。
【請求項３】
前記フレームは、１枚の板状の金属板であることを特徴とする請求項１又は２に記載の磁気ディスク装置。
【請求項４】
ベースと、このベースに固定された非回転部及びこの非回転部に対して回転する回転部を備えたスピンドルモータと、前記回転部に連結され前記スピンドルモータにより回転駆動される磁気ディスクと、この磁気ディスクの記録再生を行う磁気ヘッドと、前記磁気ディスクの回転軸が延びる方向から見て少なくともその一部が前記磁気ディスクの外側に配置され記録再生を行わない待機時に前記磁気ヘッドを前記磁気ディスク上から退避させておくパーク機構であるランプと、前記磁気ヘッドを前記ランプから前記磁気ディスク上へ移動するキャリッジと、を有し、前記非回転部は前記ベースと前記磁気ディスクとの間に配置され前記磁気ディスクの回転軸が延びる方向から見て前記磁気ディスクの外側まで延出した延出部を有し、前記ランプは前記延出部に固定されていることを特徴とする磁気ディスク装置。
【請求項５】
前記延出部は、前記ランプを固定するランプ台座を有し、このランプ台座はランプの水平面の位置及び方向を規定するための突き当て又は位置決めピンを有することを特徴とする請求項４に記載の磁気ディスク装置。
【請求項６】
前記ベースは、樹脂の成形品であることを特徴とする請求項１乃至５のいずれか１項に記載の磁気ディスク装置。
【請求項７】
前記磁気ディスクの記録再生面は片面であり、前記磁気ヘッドは１本であることを特徴とする請求項１乃至６のいずれか１項に記載の磁気ディスク装置。
【発明の詳細な説明】
【０００１】
【発明の属する技術分野】
本発明は、装置停止状態でヘッドを媒体上からパーク機構に待避させるランプロード方式の磁気ディスク装置に関する。
【０００２】
【従来の技術】
近年、ハードディスク等の磁気ディスク装置は、特に２．５インチサイズの媒体を使用した機種において、ヘッドが記録再生動作していない待機時に、ヘッドを媒体の外に待避させるランプロード方式が一般的になってきている。
【０００３】
これは、従来のＣＳＳ（コンタクトスタートストップ）方式に比べ、ランプロード方式の方が、媒体とヘッドとが非接触であるために信頼性が高いこと、媒体平滑性が優れていることに伴いヘッドの浮上量が低減できるため記録密度向上を実現できること、更には、待機時にヘッドを媒体上から降ろしているため装置に衝撃が印加されたときにヘッドと媒体とがヒットしてクラッシュする危険を回避できて耐衝撃性が優れていること、等のメリットがあるためである。
【０００４】
図６は従来の磁気ディスク装置を示す平面図、図７は、従来の磁気ディスク装置のランプ部を示す図であって、図６のＢ−Ｂ線による断面図である。
【０００５】
図６に示すように、従来の磁気ディスク装置においては、アルミニウム材からなるベース１１１にモータ１１２が搭載され、このモータ１１２に媒体１１３が取り付けられるようになっている。媒体１１３に隣接してキャリッジ１１４が配置され、このキャリッジ１１４に媒体１１３の記録再生を行うヘッド１１５が取り付けられている。キャリッジ１１４は、ヘッド１１５が媒体１１３の下面をロードするアップヘッドであるため上方向へ付勢され、更にキャリッジ１１４には、キャリッジ１１４を駆動するＶＣＭ（ボイスコイルモータ）１１６が取り付けられている。そして、ヘッド１１５が電源ＯＦＦ時等の待機時に待避するためのパーク機構であるランプ１１７が媒体１１３に隣接してベース１１１にネジ固定されている。更に、可動部１１９と固定部１２０とからなるフレキシブルプリント回路（ＦＰＣ；flexible printed circuit）がその可動部１１９をキャリッジ１１４に接続して設けられている。このＦＰＣはキャリッジ１１４上のヘッド１１５とヘッド１１５からの情報を処理する回路とを接続し、この回路にヘッド１１５の再生信号を伝達するものである。キャリッジ１１４は、ロータリーアクチュエータとして回転運動するため、ＦＰＣ可動部１１９はその動きに追従して動く。ＦＰＣ固定部１２０にはその裏面側にＦＰＣ可動部１１９からの信号を情報処理回路側に伝えるためのコネクタ（図示せず）が取り付けられている。更に、ＦＰＣ固定部１２０はＦＰＣ可動部１１９の支点としての役割も果たす。
【０００６】
図７に示すように、モータ１１２においては、モータ１１２の非回転部であるステータ１２８と、媒体１１３を回転する回転部１２９とを有している。ステータ１２８の中央位置には上方に円柱状に突出したシャフト１２８ａが形成され、このシャフト１２８ａの上面にて磁気ディスク装置上部全面を覆うカバー１３５がネジ１３３により固定されている。更に、シャフト１２８ａの周囲にはベアリング１３２を介してハブ１２９ａを有する回転部１２９が配置されている。回転部１２９の下方にはＤＣモータの永久磁石であるマグネット１３０及びＤＣモータのコイル１３１が格納されている。そして、回転部１２９の所定の高さに設けられたハブ１２９ａに媒体１１３が配置され、回転部１２９の上面の取り付けられたクランプリング１２２により媒体１１３がネジ止めされる。更に、ステータ１２８には回転部１２９より更に周囲に延出した延出部１２８ｂが形成され、この延出部１２８ｂがベース１１１と一体となるようにベース１１１に取り付けられている。こうして構成されたモータ１１２において、マグネット１３０とコイル１３１とにより構成される磁気回路により回転部１２９が回転する。
【０００７】
また、ベース１１１上には、ランプ１１７を配置するための所定の高さに成形されたランプ台座１１１ａが設けられ、ランプ１１７はこのランプ台座１１１ａにネジ１３８によりネジ固定される。ランプ１１７においては、ランプ台座１１１ａ上に凹部１１７ｂが形成されており、この凹部１１７ｂの上面が湾曲して磁気ヘッドのバー１１５が滑る滑走面１１７ａが形成されている。そして、ランプ１１７の媒体１１３側の端部１１７ｃが烏口状に尖っており、媒体１１３が１ｍｍ程度、烏口状の先端部１１７ｃ上に重なった状態にある。ランプ１１７において、磁気ヘッドの先端に設けられたバー１１５が滑走面１１７ａを滑ることにより、磁気ヘッドがランプ１１７上で待機するか、又は滑走面１１７ａを媒体１１３方向に滑り降りることにより磁気ヘッドが媒体１１３をロードする。
【０００８】
次に、従来の磁気ディスク装置の動作について説明する。磁気ディスク装置に電源が投入されると、モータ１１２が回転し、数秒後に定常回転になる。定常回転を検知したら、キャリッジ１１４は、ＶＣＭ１１６にて駆動力を受け、ローターリー型アクチュエータとして回転駆動し、媒体１１３上の所定の位置を検知し、ヘッド１１５の位置決めをする。このとき、ヘッド１１５の先端に設けられたバー１１８がランプ１１７の滑走面１１７ａに接触しながら媒体１１３上に滑り降りる。そして、磁気ヘッド１１５は、媒体１１３上で媒体１１３の回転によって起こる気流によって浮上する。即ち、上方向に付勢されたキャリッジ１１４に搭載された磁気ヘッド１１５が媒体１１３の下面上で下方向に気流による力を受けて媒体１１３から浮上（離隔）し、媒体１１３上の所定位置まで運ばれる。また、待機時にはキャリッジ１１４への待避命令が生じると、ヘッド１１５は媒体１１３上からランプ１１７へ戻ってきて停止する。このときは、媒体１１３上へロードしたときと逆の方向に同様の動きをして、バー１１８がランプ１１７の滑走面１１７ａを滑り上がる。
【０００９】
一般に、磁気ディスク装置においては、ランプ１１７と媒体１１３との相対高さを管理することが重要となる。烏口状の先端部１１７ｃにおいて、ランプ１１７と媒体１１３とのクリアランスは通常は０．１５乃至０．２５ｍｍとなっている。この間で、万が一両者が接触することがあれば、モータ１１２が回転異常を起こし、装置起動不能の不良となってしまう。
【００１０】
また、接触しないまでも、極端にクリアランスが広いと、磁気ヘッドが媒体１１３上にロードするときに高い位置から落下することとなり、繰り返しランプロードを実行するとヘッドクラッシュを引き起こす可能性が高い。そこで、クリアランス量は公称値として、±０．０８ｍｍ以下に管理することが望ましい。
【００１１】
【発明が解決しようとする課題】
しかしながら、媒体１１３の高さ位置を規定する回転部１２９のハブ１２９ａの高さ位置は、ベースの底面位置を基準として±０．０５ｍｍ程度の公差を有する。また、ランプの高さ位置を規定するランプ台座１１１ａの高さ位置もベースの底面位置を基準にして±０．０２ｍｍの公差を有する。更に、媒体１１３自体のそり及び傾き等も考慮すると、ベースの底面位置を基準にして、媒体１１３の高さ位置とランプの高さ位置とは、最高で±０．１ｍｍ程度のばらつきを有する可能性がある。このため、ランプと媒体との間の相対的高さに関して信頼性を高めることができなかった。即ち、従来の磁気ディスクにおける第１の問題点は、磁気ディスク装置のヘッドパーク機構において、ランプ高さの精度が低いことである。
【００１２】
この理由は、上述の如く、従来の磁気ディスク装置は、ベースにモータが取り付けられ、そのモータに設けられたハブに媒体が取り付けられる。また、ランプはベースに設けられた台座に取り付けられる。よって、媒体とランプとの相対高さを決めるのは、ベースの底面からモータの媒体ハブ面までと、ベースの底面からランプ台座までとの各高さに依存し、両者の高さ関係にベースの寸法精度そのものが関与するためである。
【００１３】
また、従来の磁気ディスク装置では、ランプ台座高さの公差±０．０２ｍｍを達成するためには、アルミニウムの鋳物から形成されるベース１１１のランプ台座１１１ａを後加工で寸法出しするため、コスト的に不利となっていた。即ち、従来の磁気ディスク装置における第２の問題点は、磁気ディスク装置のベースの寸法精度が厳しいため、安価なベースを提供できないことである。
【００１４】
この理由は、上述の如く、従来の磁気ディスク装置のベースは、一般的にアルミニウム等の金属製の鋳物でできており、後加工でランプ台座部分の削りによる寸法出しを必要としているためである。また、ベースを樹脂等で成形した場合、ランプ台座部分の寸法出しは樹脂の成形のみでは不可能であり、金属の埋め込み成形等、何らかのコストアップにつながる工夫を要する。
【００１５】
本発明はかかる問題点に鑑みてなされたものであって、ヘッドパーク機構のランプと媒体との間の相対高さ精度が向上し、また製造コストを低減できる磁気ディスク装置を提供することを目的とする。
【００１６】
【課題を解決するための手段】
本発明に係る磁気ディスク装置は、ベースと、このベースに固定された非回転部及びこの非回転部に対して回転する回転部を備えたスピンドルモータと、前記回転部に連結され前記スピンドルモータにより回転駆動される磁気ディスクと、この磁気ディスクの記録再生を行う磁気ヘッドと、前記磁気ディスクの回転軸が延びる方向から見て少なくともその一部が前記磁気ディスクの外側に配置され記録再生を行わない待機時に前記磁気ヘッドを前記磁気ディスク上から退避させておくパーク機構であるランプと、前記磁気ヘッドを前記ランプから前記磁気ディスク上へ移動するキャリッジと、前記ベースと前記磁気ディスクとの間に配置され前記ランプを前記非回転部に対して固定するフレームと、を有することを特徴とする。
【００１７】
この場合、前記非回転部は、前記ランプを固定するランプ台座を有し、このランプ台座はランプの水平面の位置及び方向を規定するための突き当て又は位置決めピンを有することが好ましい。
【００１８】
また、前記フレームは、１枚の板状の金属板であってもよい。
【００１９】
本発明に係る他の磁気ディスク装置は、ベースと、このベースに固定された非回転部及びこの非回転部に対して回転する回転部を備えたスピンドルモータと、前記回転部に連結され前記スピンドルモータにより回転駆動される磁気ディスクと、この磁気ディスクの記録再生を行う磁気ヘッドと、前記磁気ディスクの回転軸が延びる方向から見て少なくともその一部が前記磁気ディスクの外側に配置され記録再生を行わない待機時に前記磁気ヘッドを前記磁気ディスク上から退避させておくパーク機構であるランプと、前記磁気ヘッドを前記ランプから前記磁気ディスク上へ移動するキャリッジと、を有し、前記非回転部は前記ベースと前記磁気ディスクとの間に配置され前記磁気ディスクの回転軸が延びる方向から見て前記磁気ディスクの外側まで延出した延出部を有し、前記ランプは前記延出部に固定されていることを特徴とする。
【００２０】
本発明においては、待機中にヘッドを媒体の外のパーク機構であるランプに待避させるタイプの装置において、ランプをモータの非回転部上に直接固定するか又は非回転部にフレームを固定しこのフレーム上に固定して、従来はベースに固定されていたランプをベースから独立させることにより、従来ベースに対して高い寸法精度が要求されていたのに対して、このような寸法精度を不要とすることができる。即ち、ベースの寸法出しのための後加工を不要とすることができる。これにより、低コスト化を実現できると共にランプと媒体との相対高さ精度を向上することができる。また、モータの非回転部又はフレーム上にランプを固定するランプ台座を設けることにより、更に寸法精度が向上する。
【００２１】
また、前記ベースは、樹脂の成形品とすることができる。本発明においては、ランプがベースではなく、モータの非回転部に固定されているため、ベースの寸法精度を排除することができるので、ベースに樹脂による成形品を適用することができる。これにより、磁気ディスク装置を軽量化して、携帯性を向上すると共に、耐衝撃性を向上することができる。
【００２２】
更に、前記磁気ディスクの記録再生面は片面であり、記録再生を行うヘッドは１本とすることができる。
【００２４】
【発明の実施の形態】
次に、本発明の実施例に係る磁気ディスク装置について、添付の図面を参照して具体的に説明する。図１（ａ）は、本発明の第１の実施例に係る磁気ディスク装置を示す平面図、図１（ｂ）は磁気ヘッド部分を拡大して示す平面図である。
【００２５】
図１（ａ）に示すように、磁気ディスク装置は、例えばＡＢＳ樹脂（アクリロニトリル−ブタジエン−スチレン樹脂）等の樹脂等からなるベース１１にスピンドルモータ１２が搭載され、このスピンドルモータ１２に３インチの媒体１３が取り付けられる。この媒体１３に隣接してキャリッジ１４が設けられ、このキャリッジ１４に記録再生を行うヘッド１５が取り付けられている。モータ１２の非回転部であるステータ２８には、フレーム２１の一端がネジ２５により固定され、他端は媒体１３の外側まで張り出している。そして、フレーム２１上の媒体１３に隣接する位置にて、ヘッド１５が待機時に待避するパーク機構であるランプ１７がネジ２６により固定されている。なお、本実施例においては、ベース１１として樹脂材料を使用したものとしたが、アルミニウム材等の金属材料を使用してもよい。
【００２６】
キャリッジ１４には、ＦＰＣの可動部１９が接続されており、このＦＰＣ可動部１９の他端側は、ＦＰＣ固定部２０に接続されている。このＦＰＣにより、ヘッド１５とヘッド１５からの情報を処理する回路（図示せず）とが接続され、この情報処理回路にヘッド１５の再生信号が伝達される。更に、キャリッジ１４は、ＶＣＭ１６により駆動されて、ロータリーアクチュエータとして回転運動する。このため、ＦＰＣ可動部１９はキャリッジ１４の動きに追従して動き、これにより、ヘッド１５と情報処理回路とを接続する作用を有する。なお、ＦＰＣ固定部２０は、その裏面側にＦＰＣ可動部１９からの信号を回路側に伝えるためのコネクタ（図示せず）が取り付けられている。更にＦＰＣ固定部２０は、ＦＰＣ可動部１９の支点としての役割も果たす。更に、装置上面には、装置全体を覆い、樹脂等からなるカバー（図示せず）が設けられている。
【００２７】
本実施例の媒体１３としては、例えば３インチ径のものを適用する。３インチ径は、３．５インチ径より軽量であるため、耐衝撃性に有利である。また、３インチ径とすることで、２．５インチ径媒体と比較して容易に大容量化が実行できる。これにより、磁気ディスク装置を軽量化してモバイル性を向上し、且つ大容量とすることができる。
【００２８】
また、本実施例のヘッド１５は１装置当たり１本の搭載される。即ち、媒体１３の片面のみを使用するものである。このようなヘッド１５として、本実施例においては、実装上コンパクト化が容易なように、媒体１３において、ベース１１側である下面のみを利用するヘッド（アップヘッド）を使用することができる。アップヘッドでは、媒体１３の下面側をロードするため、上方向に付勢されたヘッド１５を搭載したキャリッジ１４が配置される。このため、キャリッジ１４及びモータ１２は、共に媒体１３より下側に配置されることになる。つまり、キャリッジ１４及びモータ１２の実装において空間的に無駄が生じない。このことにより、磁気ヘッドとしてアップヘッドを設けると、実装上、磁気ディスク装置をコンパクト化することができる。更に、図１（ｂ）に示すように、ヘッド１５の先端には、ヘッド１５を媒体１３上に移動する際、ランプ１７と接触しながら滑り降りるためのバー１８が設けられている。
【００２９】
次に、本実施例のモータ１２及びランプ１７について更に詳細に説明する。図２（ａ）は、図１のＡ−Ａ線による断面図、図２（ｂ）は、ランプを拡大して示す断面図、図２（ｃ）は、ランプにおける磁気ヘッドの動作を説明する模式的断面図である。
【００３０】
図２（ａ）に示すように、モータ１２は、モータ１２の非回転部であるステータ２８と、媒体１３を回転駆動し、ステータ２９に対して回転する回転部２９とを有している。非回転部のステータ２８の中央位置には、ステータ２８が上方に円柱状に突出してシャフト２８ａが形成され、このシャフト２８ａの上面にて磁気ディスク装置の上部全面を覆うカバー３５がネジ３３により固定されている。更に、シャフト２８ａの周囲にはベアリング３２を介してハブ２９ａを有する回転部２９が配置されている。回転部２９の下方にはＤＣモータの永久磁石であるマグネット３０及びＤＣモータのコイル３１が格納されている。そして、回転部２９の所定の高さに設けられたハブ２９ａ上に媒体１３が配置される。更に、回転部２９の上面に取り付けられたクランプリング２２により媒体１３が回転部２９にネジ止めされる。また、ステータ２８には回転部２９より更に周囲に延出した延出部２８ｂが形成され、この延出部２８ｂがベース１１と一体となるようにベース１１に取り付けられている。こうして構成されたモータ１２において、マグネット３０とコイル３１とにより構成される磁気回路により回転部２９が回転する。
【００３１】
従来は、ベースにランプ台座が形成され、このランプ台座にランプがネジ固定されていたが、本発明においては、モータの非回転部であるステータにランプを固定することを特徴とする。即ち、本発明においては、ランプはベースとは独立して固定されている。本実施例においては、モータ１２のステータ２８にフレーム２１を介してランプ１７が固定されている。
【００３２】
ステータ２８は、その延出部２８ｂ上に所定の高さの段差を有し、フレーム２１を配置するためのフレーム台座２８ｃが形成されている。このフレーム台座２８ｃの段差がフレーム２１の水平面における位置及び方向を規定するための突き当てとなっている。なお、突き当ての代わりに位置決めピン等を設けてもよい。そして、この突き当てを使用して、フレーム台座２８ｃにフレーム２１がネジ２５により固定され、このネジ固定された部分の反対側は、媒体１３の外周より外側まで張り出している。そして、媒体１３に隣接する位置で、フレーム２１上にランプ１７がネジ２６により固定されている。ランプ１７の媒体１３側端部は烏口状に尖っており、媒体１３の外周端部を１ｍｍ程度烏口に挿入された状態でフレーム２１に固定されている。
【００３３】
ランプ１７においては、図２（ｂ）に示すように、フレーム２１上に凹部１７ｂが形成されており、この凹部１７ｂの上面は湾曲して磁気ヘッドのバー１８が滑る滑走面１７ａが形成されている。
【００３４】
そして、図２（ｃ）に示すように、ランプ１７において、磁気ヘッド（図示せず）の先端に設けられたバー１８が滑走面１７ａを滑ることにより、待機時には磁気ヘッドが図２（ｃ）の矢印３７が示すように、ランプ１７を移動し、ランプ１７のパーク位置３８に待避する。また、ロード時には、バー１８が滑走面１７ａを媒体１３方向に滑り降りる。即ち、矢印３７とは逆向きに磁気ヘッドが移動し、上方向に付勢された磁気ヘッドが媒体１３上で下方向に気流による力を受けて媒体１３から浮上（離隔）し、媒体１３上の所定位置まで運ばれる。また、ランプ１７には、磁気ヘッドがパーク位置３８にある場合に、外部からの衝撃を受けても跳ね上がってランプ１７から脱落することを防止するためのひさし３６が設けられている。
【００３５】
次に、本実施例のフレームについて更に詳細に説明する。図３（ａ）及び（ｂ）は、本実施例のフレームを示す夫々平面図及び側面図である。フレーム２１は、ランプの高さ精度を決める重要な部材であるため、極力寸法精度が出し易い構造及び材質とすることが望ましい。このようなフレームとして、例えば、本実施例においては、図３（ａ）及び（ｂ）に示すように、フラットな板状とし、このフレーム２１の一端にはフレーム２１をランプにネジ固定するためのネジ穴２１ａが形成され、他端にはフレーム２１にモータのステータをネジ固定するためのネジ穴２１ｂが形成されているのみで、極めて単純な構成とし、材質をステンレスとすることにより、極めて精度よく形成することができる。
【００３６】
上述のように、ヘッドが待避するパーク機構を有する磁気ディスク装置では、ランプ１７と媒体１３との相対高さを管理することが重要となる。本実施例では、前記烏口においてランプ１７と媒体１３とのクリアランスが０．２５ｍｍとなっている。ここで、万が一両者が接触することがあれば、モータ１２が回転異常を起こし、装置起動不能の不良となってしまう。
【００３７】
また、接触しないまでも、極端にクリアランスが広いと、ヘッド１５が媒体１３上にロードするときに、高い位置から落下することになり、繰り返しランプロードを実行すると、ヘッドクラッシュを引き起こす可能性が高い。
【００３８】
そこで、クリアランス量を公称値で、±０．０８ｍｍ以下に管理することが望ましい。媒体１３の高さを規定するハブ２９ａの高さは、ベースの底面位置を基準にして±０．０５ｍｍ程度の公差を有する。しかし、本実施例においては、フレーム台座２８ｃは、モータ１２の非回転部であるステータ２８に直接形成され、ハブ２９ａはモータ１２の回転部２９に形成されている。即ち、フレーム台座２８ｃ及びハブ２９ａは共にモータ１２に形成されているため、媒体１３とランプ１７との間の相対的高さの公差は、ベースに関係なくモータ１２におけるハブ２９ａの高さ位置の公差のみで決まり、例えば、公差を±０．０３ｍｍとすることができる。実際には±０．０２ｍｍの精度とすることができる。
【００３９】
従来の磁気ディスク装置では、ベースの寸法精度がハブの高さ位置とランプ台座の高さ位置との相対的高さを決める１つの要因になっていた。そのため、例えばベースの底面からハブの高さ位置までの公差±０．０５ｍｍにベースの底面からランプ台座の高さ位置までの公差±０．０２ｍｍが加算されて大きなばらつき要因となっていた。
【００４０】
しかし、本発明の磁気ディスク装置では、フレーム台座２８ｃとハブ２９ａとの相対高さは、いずれも同一部品であるモータ１２に設けられていることから、公差はハブ２９ａが有する１つのみとなり、その値も±０．０３ｍｍ以下に規定することが可能である。ここで、フレーム２１自体の公差要因は、フレームの厚さ公差及びフレームの平面度であるが、本実施例においては、フレーム２１はステンレスによる単純形状としたため、ほぼ公差０に近い精度で形成することが可能である。フレーム２１は、管理上は厚さ公差±０．００５ｍｍ、平面度０．００５ｍｍとすることが可能である。
【００４１】
最終的に、媒体自体のそり及び傾き等も考慮すると、最高でも±０．０７ｍｍ程度のばらつきに抑えることができる。そのため、ランプ及び媒体の相対高さに関して従来の磁気ディスク装置に比較して、著しく信頼性を高めることが可能となる。
【００４２】
次に、本実施例の磁気ディスク装置についてその動作を説明する。電源が投入されると、モータ１２が回転し数秒後に定常回転になる。定常回転を検知したら、キャリッジ１４は、ＶＣＭ１６にて駆動力を受け、ローターリー型アクチュエータとして回転駆動し、ヘッド１５を媒体上の所定の位置を検知し位置決めする。このとき、ヘッド１５の先端のバー１８がランプ１７の滑走面１７ａと接触しながら媒体１３上に滑り降りる。次に、キャリッジ１４の待避命令が生じると、ヘッド１５は媒体上からランプ１７へと戻って停止する。このときは、媒体１３上へロードしたときと逆の方向に同様の動きをしてバー１５が滑走面１７ａを滑り上がる。
【００４３】
次に、本発明の磁気ディスク装置の組立方法について説明する。図４（ａ）は、磁気ディスク装置の組み立て方法を示す断面図、図４（ｂ）は、図４（ａ）の次の工程を示す平面図である。
【００４４】
ランプの位置精度は、高さ方向だけでなく、水平方向についても±０．０２ｍｍ程度の精度を要求される。この位置出しが不十分だとヘッドが媒体をロード及びアンロードするのを繰り返した際、ランプとサスペンションのバーとの摩擦が増大し、ランプ材の摩耗を促進し、その摩耗粉の影響を受けてヘッドクラッシュに至る場合がある。そこで、ランプの位置出しを十分に行えるようにジグを使用して、ランプの取り付けを行うことができる。
【００４５】
図４（ａ）に示すように、モータ１２のステータ２８の延出部２８ｂのフレーム台座２８ｃにはフレーム２１が所定の向きに取り付けられるように、フレーム突き当て２８ｄが設けられている。また、ステータ２８のシャフト２８ａの上面には磁気ディスク装置のカバーをシャフト２８ａにネジ固定するためのネジ穴４１が形成され、シャフト２８ａの下面側にはモータ１２の位置決めをするためのモータ位置決め穴４２が形成されている。組み立て方法としては、先ず、モータ１２のフレーム台座２８ｃにフレーム突き当て２８ｄを使用してフレーム２１をネジ２５により固定する。
【００４６】
次に、図４（ｂ）に示すように、フレーム付きモータをジグ４３にセットする。ジグ４３には、モータ１２の位置を決めるモータ位置出しピン４４と、ランプ位置決め用突き当て４５と、フレームの回転方向突き当てピン４６とが形成されている。先ず、ジグ４３に設けられたモータ位置出しピン４４をモータ１２の位置決め穴４２にセットする。穴の公差関係としては、Ｈ７、ｇ６程度のはめ合い（ＪＩＳ  Ｂ０４１０）が適当である。そして、モータ１２に取り付けられたフレーム２１を回転方向突き当てピン４６に押し当て、回転方向の位置決めを行う。最後に、ランプ１７の位置決め用の２つの面を、ランプ位置決め用突き当て４５に押し当てながら、ランプ１７をフレーム２１にネジ固定する。ジグ４３のランプ位置決め用突き当て４５及び回転方向突き当てピン４６の位置公差を±０．０１０ｍｍ以下に管理することで、必要と考えられるランプ水平方向の位置精度を達成することができる。
【００４７】
本実施例の磁気ディスク装置においては、待機中にヘッドを媒体外のパーク機構であるランプに待避させる磁気ディスク装置において、フレーム台座２８ｃをモータ上に設け、このフレーム台座２８ｃに媒体１３より外側まで張り出したフレーム２１を固定し、このフレーム２１上にランプ１７を取り付けることにより、ランプと媒体との相対高さを決める要因からベースの寸法精度を排除したため、ランプと媒体との相対高さ精度を向上することができる。
【００４８】
更に、ベースの寸法精度を不要としたため、ベースに高精度のランプ台座を形成する後加工をする必要がなくなり、低コスト化を実現することができる。
【００４９】
更にまた、モータの非回転部にフレームを介してランプを固定して、ベースの寸法精度を排除したため、ベース１１に樹脂の成形品を使用することができる。樹脂の成形品は金属の削り品と比較すると高い寸法精度を得ることが困難であり、ランプ取り付け精度が十分確保できないため、従来は樹脂成形品の使用が困難であった。一方、本実施例においては、ランプにおいてベース１１の寸法精度を必要としないため、例えば帯電防止のためカーボンを混ぜたＡＢＳ樹脂等を使用することができる。ＡＢＳ樹脂は比重がアルミニウムの約１／２．７であり、そのため、ベース単体で１００ｇ程度の軽量化を実現することができる。これにより、磁気ディスク装置の携帯性を向上することができる。
【００５０】
また、ベース１１を樹脂とすることで、ベースそのものが有する衝撃に対する緩衝効果が向上し、アルミニウム等の金属と比較して耐衝撃性を著しく向上させることができる。
【００５１】
従来の磁気ディスク装置は、ベースに設けられたランプ台座高さ精度を満たすために、アルミニウムなどの金属製ベースにせざるをえないため、近年のモバイル端末に適した携帯性が優れた磁気ディスク装置に対応した軽量化を図ることができなかったが、本実施例においては、ベースの材料として樹脂を使用しても従来から求められてきた高精度を満たすヘッドパーク機構を提供することができる。
【００５２】
なお、本実施例においては、ベースをアルミニウム等の金属材料とすることもできる。アルミニウム鋳物でベースを作成した場合においても、ベースに関しては特に寸法精度を要求しないため、後加工が不要となり、低コスト且つ高精度の磁気ディスク装置を提供することができる。従来の磁気ディスク装置では、ランプ台座高さ公差±０．０２ｍｍを達成するためには、一般的にアルミニウム等の鋳物で作られるベースの台座部分を後加工で寸法出しする必要があり、コスト的にも不利となっていた。しかし、本発明においては、フレームをシンプルな構造とすることができるため、寸法精度を必要としながらも、低コストで入手可能である。よって、従来の磁気ディスク装置と比較して十分製造コストを低減することができる。
【００５３】
次に、本発明の第２の実施例について説明する。第１の実施例においては、モータの非回転部にフレームを使用してランプを搭載するものとした。しかし、この方法では、フレームを形成するために必要なコスト及びフレームに起因した寸法誤差が若干のデメリットとなる場合がある。そこで、本実施例においては、フレームを使用せずにランプをモータの非回転部に固定する。
【００５４】
図５は第２の実施例に係る磁気ディスク装置を示す断面図である。図５に示すように、モータ５２の非回転部であるステータ６８を第１の実施例よりも更に周囲に張り出し、媒体５３の外周部外側まで延出した形状とする。そして、この延出部６８ｂ上に直接ランプ台座５０を設け、そこにランプ５７をネジ６６により取り付ける。その他の構成及び動作は第１の実施例と同様である。
【００５５】
ランプ５７の取り付け位置は、通常、媒体５３の外周に位置するため、図５に示す構造ではステータ６８の延出部６８ｂを大きく外周側に張り出す必要がある。そこで、磁気ディスク装置のタイプとしては、２．５インチ以下の小型サイズの媒体を搭載するものに効果が大きい。ただし、本実施例は、媒体のサイズを２．５インチ以下に限定するものではない。また、ステータ６８のランプ５７を取り付けない側は、延出部６８ｂと同様に張りだした形状としてもよいし、ベース５１に固定さできる程度の最小限の大きさとしてもよい。
【００５６】
【発明の効果】
以上詳述したように、本願請求項１に係る発明によれば、モータの非回転部にランプを取り付けてランプをベースから独立したものとすることにより、ランプと媒体との相対高さ精度を向上させ、信頼性が高いと共にベースの寸法精度を高くするためのベースの後加工を不要として低コストの磁気ディスク装置を得ることができる。また、本願請求項２乃至４に係る発明によれば、更に寸法精度が向上する。更に、本願請求項５に係る発明によれば、ベースの寸法精度が高いことを必要としないため、ベースとして樹脂による成形品を適用することができ、これにより、耐衝撃性が優れると共に軽量化して携帯性が高い磁気ディスク装置を得ることができる。更にまた、本願請求項６に係る発明によれば、携帯性が更に向上すると共に、本願請求項７に係る発明によれば、加工がしやすく、且つ高精度のフレームを得ることができる。
【図面の簡単な説明】
【図１】（ａ）は本発明の第１の実施例に係る磁気ディスク装置を示す平面図、（ｂ）は磁気ヘッド部分を拡大して示す平面図である。
【図２】（ａ）は図１のＡ−Ａ線による断面図、（ｂ）はランプを拡大して示す断面図、（ｃ）はランプにおける磁気ヘッドの動作を説明する模式的断面図である。
【図３】（ａ）及び（ｂ）は本実施例のフレームを示す夫々平面図及び側面図である。
【図４】（ａ）は磁気ディスク装置の組み立て方法を示す断面図、（ｂ）は図４（ａ）の次の工程を示す平面図である。
【図５】本発明の第２の実施例に係る磁気ディスク装置を示す断面図である。
【図６】従来の磁気ディスク装置を示す平面図である。
【図７】図６のＢ−Ｂ線による断面図である。
【符号の説明】
１１、５１、１１１；ベース
１２、５２、１１２；モータ
１３、５３、１１３；媒体
１４、１１４；キャリッジ
１５、１１５；ヘッド
１６、１１６；ＶＣＭ
１７、５７、１１７；ランプ
１７ａ、１１７ａ；滑走面
１８、１１８；バー
２１；フレーム
２１ａ、２１ｂ；ネジ穴
１９、１１９；ＦＰＣ可動部
２０、１２０；ＦＰＣ固定部
２２、１２２；クランプリング
２５、２６、３３、６６；ネジ
２８、６８、１２８；ステータ
２８ａ、６８ａ、１２８ａ；シャフト
２８ｂ、６８ｂ；延出部
２８ｃ；フレーム台座
２９、６９、１２９；回転部
２９ａ、６９ａ；ハブ
３０、７０、１３０；マグネット
３１、７１、１３１；コイル
３２、７２、１３２；ベアリング
３５、７５；カバー
３６；ひさし
３８；パーク位置
４２；モータ位置決め穴
４３；ジグ
４４；モータ位置出しピン
４５；ランプ位置決め用突き当て
４６；突き当てピン
５０；ランプ台座
【図１】
0003856635.tif 000002
【図２】
0003856635.tif 000003
【図３】
0003856635.tif 000004
【図４】
0003856635.tif 000005
【図５】
0003856635.tif 000006
【図６】
0003856635.tif 000007
【図７】
0003856635.tif 000008